(57)【要約】【課題】  施解錠時に生じる衝撃音を緩和して静音させるとともに長期間の使用においても静音効果が持続可能な鎌錠を提供する。【解決手段】  引戸１の木口端面１１に埋設される鎌錠本体２と、枠体３に埋設される受座４とからなり、前記鎌錠本体２は基部２２１と首部２２３を介して先端に位置される鎌状の掛止部２２２とからなる鎌部材２２を有し、施錠時に前記掛止部２２２をケース体５の前板５２に形成した開口５３から突出させて前記引戸１に対向する前記枠体３に設置した受座４の被掛止部４１に掛止して施錠状態を形成する鎌錠において、トリガー９として回転式のトリガーを備えた。【選択図】図１
2020153231.tif 000002
【特許請求の範囲】
【請求項１】
引戸などの端面に彫り込まれた取付溝に埋設される鎌錠本体と、柱や縦枠に彫り込まれた取付溝に埋設される受座とからなり、前記鎌錠本体は基端に配置される基部と首部を介して先端に位置される鎌状の掛止部からなる鎌部材が前記基部においてケース体内の側板に形成した回転軸において前記掛止部が前記ケース体の前板に形成した開口から出没可能に且つ反転バネ体により反転保持可能に軸着されているとともに、施錠時に前記掛止部を前記ケース体の前板に形成した開口から突出させて前記引戸などに対向する柱や縦枠に設置した受座の被掛止部に掛止して施錠状態を形成する鎌錠において、トリガーとして回転式のトリガーを備えたことを特徴とする鎌錠。
【請求項２】
前記回転式のトリガーが、前記ケース体の前板に形成した開口から先端の当接部が出没可能に軸により軸着されていて、引戸が閉じているときに前記先端の当接部がケース体の前板に没入して後端の係止部が鎌部材との係合を解除した状態にあるとともに前記引戸が開いているときには前記先端である当接部が前記ケース体の前板から突出して後端の係止部が前記鎌部材に係合した状態にあることを特徴とする請求項１記載の鎌錠。
【発明の詳細な説明】
【技術分野】
【０００１】
本発明は、引戸などの端面に彫り込まれた取付け孔に埋設される鎌錠本体と、柱や縦枠に彫り込まれた取付け孔に埋設される筺状の受座とからなり、鎌錠本体の鎌部材をレバーハンドルなどで回動させて前記受座の前板に設けた開口に係入させ、鎌部材の先端に形成した鎌状の掛止部を前記受座の前板などに形成される被掛止部に施錠される鎌錠に関するものである。
【背景技術】
【０００２】
従来、室内を区切る壁の出入口などについて設置される引戸などの施錠用に鎌錠が用いられている。この鎌錠は、引戸などの端面に彫り込まれた取付け孔に埋設される鎌錠本体と、柱や縦枠に彫り込まれた取付け孔に埋設される筺状の受座とからなり、鎌錠本体に軸着するとともに反転バネ体などを用いて反転保持可能に配置した鎌部材をレバーハンドル
などで回動させて鎌部材の先端に位置する鎌状の掛止部を前記受座の前板に設けた開口に沿って配置される被掛止部に掛止させて施錠される鎌錠が知られている。
【０００３】
ところで、この種の鎌錠は、特に、施解錠時に反転する鎌部材やレバーハンドルハブを反転させる操作がケース体の開口、錠内部のストッパーや部品に当り衝突音を発生するなどの問題があり、特に、施解錠をする際にレバーハンドルハブなどによる反転操作を反転バネ部材により鎌部材を反転保持させることから衝撃音や振動を生じていた。
【０００４】
この種の衝撃音は鎌錠における施開錠時の鎌部材の確実な固定と、施開錠の区別がはっきりと分かるように敢えて反転バネ体を強くして、結果大きな衝撃音が生じるようにしている錠前もあるが、近頃では病院や介護室などにも鎌錠が設置されるようになり、特に深夜や静かな室内では金属衝撃音が不快音となっているものであった。
【０００５】
そこで、従来、例えば実開平２−３９０７３号公報に施錠時に生じる衝撃音を緩和することにより静音を図る鎌錠が提示されさている。
【０００６】
この施錠時における衝撃音を緩和する静音手段を施した鎌錠は図１０に示したように、引戸１ａなどの端面１ｂに彫り込まれた取付溝１ｃに埋設される鎌錠本体２ａのケース体３ａ内に、施錠位置で鍵形の鎌部材４ａに当接して衝撃音を緩和する例えばスポンジなどの緩衝材５ａを固設したものである。
【先行技術文献】
【特許文献】
【０００７】
【特許文献１】実開平２−３９０７３号公報
【発明の概要】
【発明が解決しようとする課題】
【０００８】
ところが、鎌錠は引戸における鎌状を安全に施解錠を行うために、従来から鎌錠の作動を制御するトリガーが備えられているが、前記従来のトリガーは、引戸の閉成時に、前板から突出させた直線的に往復動可能で且つ突出方向に付勢された棒状の本体を引戸の枠体に備えた前板に当接させるものであり、きわめて大きな衝撃音を生じることになり、鎌状本体の静音化とともに消音することが課題とされている。
【０００９】
本発明は、施解錠時に生じる衝撃音、殊にトリガーについての衝撃音を緩和して静音させるとともに長期間の使用においても静音効果が持続可能な鎌錠を提供することを課題とする。
【課題を解決するための手段】
【００１０】
前記課題を解決するためになされた本発明は、引戸などの端面に彫り込まれた取付溝に埋設される鎌錠本体と、柱や縦枠に彫り込まれた取付溝に埋設される受座とからなり、前記鎌錠本体は基端に配置される基部と首部を介して先端に位置される鎌状の掛止部からなる鎌部材が前記基部においてケース体内の側板に形成した回転軸において前記掛止部が前記ケース体の前板に形成した開口から出没可能に且つ反転バネ体により反転保持可能に軸着されているとともに、施錠時に前記掛止部を前記ケース体の前板に形成した開口から突出させて前記引戸などに対向する柱や縦枠に設置した受座の被掛止部に掛止して施錠状態を形成する鎌錠において、トリガーとして回転式のトリガーを備えたことを特徴とする。
【００１１】
また、本発明において、前記回転式のトリガーが、前記ケース体の前板に形成した開口から先端の当接部が出没可能に軸により軸着されていて、引戸が閉じているときに前記先端の当接部がケース体の前板に没入して後端の係止部が鎌部材との係合を解除した状態にあるとともに前記引戸が開いているときには前記先端である当接部が前記ケース体の前板から突出して後端の係止部が前記鎌部材に係合した状態にある場合には簡単な構成で確実に消音効果を発揮させることができる。
【発明の効果】
【００１２】
本発明によれば、施解錠時、特に施錠時において生じる衝撃音を緩和して静音化を図ることが可能であることは言うまでもなく、長期間にわたって使用しても前記静音効果が持続する鎌錠を提供することができる。
【図面の簡単な説明】
【００１３】
【図１】本発明である鎌錠における好ましい実施の形態を示す引戸を開放した状態における断面図。
【図２】図１に示した実施の形態における引戸を閉じた解錠時における断面図。
【図３】図１に示した実施の形態における引戸を閉じた施錠時における断面図。
【図４】図１に示した実施の形態の鎌部材を示す斜視部分図。
【図５】図１に示した実施の形態の鎌部材および緩衝部材を示す断面図。
【図６】鎌部材に取り付けた緩衝部材の第１の異なる実施の形態を示す断面図。
【図７】鎌部材に取り付けた緩衝部材の第２の異なる実施の形態を示す断面図。
【図８】鎌部材に取り付けた緩衝部材の第３の異なる実施の形態を示す断面図。
【図９】鎌部材に取り付けた緩衝部材の第４の異なる実施の形態を示す断面図。
【図１０】従来例を示す説明図であり、（ａ）は解錠時を示す断面図、（ｂ）は施錠時を示す断面図。
【発明を実施するための形態】
【００１４】
以下に、本発明の好ましい実施の形態について図面を参照して詳細に説明する。
【００１５】
図１乃至図５は本発明の好ましい実施の形態を示すものであり、鎌錠自体は基本的には従来のものとほぼ同様の構造を有するものであり、引戸１などの木口端面１１に彫り込まれた取付溝１２に埋設される鎌錠本体２と、柱や縦枠等の枠体３の端面３１に彫り込まれた取付溝３２に埋設される受座４とから形成される。
【００１６】
また、基部２２１の先端に鎌状の掛止部２２２が首部２２３を介して一体に連結されており、前記基部２２１においてケース体５の側板５１の内面に形成した回転軸２１に反転回動可能に軸着されており、施解錠時の反転に際して前記先端に形成した掛止部２２２をケース体５の前板５２に形成した開口５３から出没可能とされており、前記基端２２１の後端側がケース体５の側板５１の内面に軸着された例えばレバーハンドルなど（図示せず）により反転する入力カム２４との間にクランク機構２５を介して連結されており、且つ入力カム２４に施錠回転位置並びに解錠回転位置において入力カム２４を回動位置に保持するバネ体２６が備えられている。
【００１７】
そして、図２に示した引戸１を閉じた状態（引戸１の木口端面１１を枠体３の端面３１を当接させた状態）で、図３に示したように前記レバーハンドル（図示せず）を用いて入力カム２４をバネ体２６の保持力に抗して施錠方向に回転させたときにクランク機構２５を介して鎌部材２２の掛止部２２２がケース体５の前板５２に形成した開口５３から突出して前記対向する枠体３に設置した受座４の被掛止部４１に前板４２に形成した開口４３を通して掛止することで施錠状態を形成するものである。
【００１８】
このとき、本実施の形態の鎌部材２２は、図３に示したように入力カム２４の一端に形成した作用片２４１に連結された前記バネ体２６および鎌部材２２の基部２２１，２２１間に架設された固定ピン２２６により軸支して配置されて一端を鎌部材２２の係止段部２３に係止されるとともに他端を前記連結部２７に係止した反転バネ体２８による所定の保持力により前記施錠状態または解錠状態に保持される。
【００１９】
ところで、鎌錠は従来から鎌部材に取り付けたばねが反転することで施錠が確実であるとともに施解錠を感触や音により確認可能とすること、また大きな強度を必要とする場合もあり、鎌部材並びに受座の多くが金属製で比較的重厚に形成されているばかりか前記反転を保持するバネ体や反転バネ体などの付勢部材も強度のあるものを採用している傾向にある。
【００２０】
そのため、確実な施解錠は可能であるが、従来の鎌錠では前記施錠状態にしたときに鎌部材２２の首部２２３がバネ体２６や反転バネ体２８の保持力を保った状態で前板５２に形成した開口５３の開口端縁５３１に当接するので衝撃音を生じることになる。
【００２１】
この点について、本実施の形態では前記鎌部材２２自体は前記従来の鎌錠と同じく金属製で重厚でありバネ体２６や反転バネ体２８の保持力も十分で鎌錠としての施錠機能については変わりないが、施錠したときに前記前板５２に形成した開口５３の開口端縁５３１に当接する前記鎌部材２２の首部２２３に緩衝部材７Ａが備えられている。
【００２２】
更に詳細に説明すると、本実施の形態では図４および図５に示すように、緩衝部材７Ａは、前板５２に形成した開口５３の開口端縁５３１に当接する前記鎌部材２２の首部凹所２２４における内側端面２２５に形成された凹部６内に配置されている。
【００２３】
特に、本実施の形態では、前記凹部６は鎌部材２２の表面に露出する小形凹溝６１と、該小形凹溝６１と連通して下方に位置する大形凹溝６２とからなり、前記緩衝部材７Ａは異なる大きさの長方形を互い違いに組み合わせたような形状で、前記凹部６の小形凹溝６１に嵌挿される頭部７１と、前記凹部６の大形凹溝６２に嵌挿される脚部７２とが一体に形成される例えばゴムやエラストマーなどの弾力性を有する材質により構成されている。
【００２４】
緩衝部材７Ａの脚部７２はアーチ状の切り欠き７３が形成されており、前記切り欠き７３の凸方向から加わる付勢力を分散して緩衝する効果を高めることが期待できるものである。
【００２５】
本実施の形態では前記鎌部材２２を施錠させたときに開口端面２２５に設置した緩衝部材７Ａが前板５２に形成した開口５３の開口端縁５３１に衝撃を吸収しながら当接するので従来の鎌錠において生じる衝撃音を減じて施錠操作をすることができるので夜間や昼間でも静音を保持する環境においても採用することを可能としている。
【００２６】
また、本実施の形態では、前記鎌錠本体２におけるケース体５内に設置されて少なくとも前記鎌部材２２を解錠位置としたときに一端の連結片２９１が前記鎌部材２２に設けられた係合段部２３を介して連結するとともに他端の連結片２９２がケース体５内に固着した緩衝具８に連結された変換カム２９が配置されており、図２に示した状態において前記鎌部材２２が解錠位置に反転したときに前記緩衝具８が鎌部材２２の戻りによるバネ体２６や反転バネ体２８の保持力に抗して反転させた際に生じる衝突音を緩和することができるように形成されている。
【００２７】
本実施の形態における緩衝具８は、頂面に開口する円筒状のシリンダ８２を内部に形成した本体８１と、前記シリンダ８２内に収容されたコイルバネ８３と、前記コイルバネ８３と連結され前記シリンダ内８２を摺動可能に配置されたピストン８４とからなり、鎌部材２２から変換カム２９を介して伝達された下方への付勢力をコイルバネ８３の弾性によって吸収させて衝撃を緩和して静音化を図るものであるが、例えばエアダンパーなど他の周知の緩衝機構を用いても良い。
【００２８】
尚、図面中の符号２９３は変換カム２９の連結片２９２を緩衝具８のピストン８４に当接するように付勢するバネ体である。
【００２９】
更に、本実施の形態では、ケース体５の前板５２に形成した開口５３から先端の当接部９１が出没可能に軸９２により軸着されていて、引戸１が閉じているときに前記先端の当接部９１がケース体５の開口５３に没入して後端の係止部９３が鎌部材２２との係合を解除した状態にあるとともに前記引戸１が開いているときには前記先端である当接部９１が前記ケース体５の開口５３から突出して後端の係止部９３が前記鎌部材２２に係合した状態にある回転式のトリガー９が配置されている。
【００３０】
そのため、本実施の形態では図１に示した解錠時（引戸１が開いているとき）には鎌部材２２が回転式のトリガー９に係止されて確実にケース体５内に保持される。また、施錠時（引戸１を閉じたとき）にはトリガー９が受座４の前板４２に当接するが、トリガー９は従来の直線式のものと異なり大きな衝撃を生じないのでこの点においても静音効果を生じることができるものである。
【００３１】
尚、図面中の符号９４はトリガー９をケース体５における前板５２の開口５３から突出させる方向に付勢するバネ体である。
【００３２】
図６乃至図９は鎌部材に取り付けた緩衝部材の異なる実施の形態をそれぞれ示すものであり、いずれの実施の形態の緩衝部材も前板５２に形成した開口５３の開口端縁５３１に当接する前記鎌部材２２の首部凹所２２４における内側端面２２５に形成された凹部６内に配置されている点は共通である。
【００３３】
図６は鎌部材２２に取り付けた緩衝部材の第１の異なる実施の形態を示す断面図であり、前記図１乃至図５に示した実施の形態と同様に、例えばゴムやエラストマーなどの弾力性を有する材質により構成された弾発具である緩衝部材７Ｂを用いたものであるが、緩衝部材７Ｂの断面視中央部および左右両端に切り欠き７３を形成している点において異なり、この切り欠き７３によって更に弾力性を付与して静音効果を高めることができる。
【００３４】
図７は鎌部材２２に取り付けた緩衝部材の第２の異なる実施の形態を示す断面図であり、この緩衝部材７Ｃは凹部６の大形凹溝６２内を軸方向に移動可能且つ小形凹溝６１から抜脱不能に嵌挿される当接部材７４と、凹部６の大形凹溝６２内において前記当接部材７４の下方に配置された例えばウレタン樹脂のフォームやゲルなどにより形成された緩衝材７５とからなる構成である。
【００３５】
本実施の形態によれば、例えば使用する引戸の重量などに応じた必要十分な緩衝効果に合致するものを選択して採用することができる利点がある。
【００３６】
図８は鎌部材２２に取り付けた緩衝部材の第３の異なる実施の形態を示す断面図であり、この緩衝部材７Ｄは凹部６の大形凹溝６２内を軸方向に移動可能且つ小形凹溝６１から抜脱不能に嵌挿される当接部材７４と、凹部６の大形凹溝６２内において前記当接部材７４の下方に配置された弾発コイルバネ７６とからなる構成である。
【００３７】
本実施の形態によれば、弾発コイルバネ７６を用いることで、簡単な構造で組み立て易く安価に提供することができるという利点を有している。
【００３８】
図９は鎌部材２２に取り付けた緩衝部材の第４の異なる実施の形態を示す断面図であり、この緩衝部材７Ｅは凹部６の大形凹溝６２内を軸方向に移動可能且つ小形凹溝６１から抜脱不能に嵌挿される当接部材７４と、凹部６の大形凹溝６２内において前記当接部材７４の下方に配置されたダンパー７７とからなる構成である。
【００３９】
本実施の形態によれば、十分に緩衝効果を発揮させることは言うまでもなく使用する鎌錠の大きさなどの規格に合わせて必要十分な緩衝効果に合致するものを選択して採用することができる利点がある。
【００４０】
尚、本明細書に示した緩衝部材７Ａ，７Ｂ，７Ｃ，７Ｄ，７Ｅは本発明の実施の形態の一例であってこれに限られるものでなく、緩衝作用を有するものであれば各種の緩衝部材をきわめて容易に採用することができるものである。
【符号の説明】
【００４１】
１  引戸、２  鎌錠本体、３  枠体、４  受座、５  ケース体、６  凹部、７  緩衝部材、８  緩衝具、９  トリガー、１１  木口端面、１２  取付溝、２１  回転軸、２２  鎌部材、２３  係合段部、２４  入力カム、２５  クランク機構、２６  バネ体、２７  連結部、２８  反転バネ体、２９  変換カム、３１  端面、３２  取付溝、４１  被掛止部、４２  前板、４３  開口、５１  側板、５２  前板、５３  開口、６１  小形凹溝、６２  大形凹溝、７１  頭部、７２  脚部、７３  切り欠き、７４  当接部材、７５  緩衝材、７６  弾発コイルバネ、７７  ダンパー、８１  本体、８２  シリンダ、８３  コイルバネ、８４  ピストン、９１  当接部、９２  軸、９３  係止部、２２１  基部、２２２  掛止部、２２３  首部、２２４  首部凹所、２２５  内側端面、２２６  固定ピン、２４１  作用片、５３１  開口端縁
【図１】
2020153231.tif 000003
【図２】
2020153231.tif 000004
【図３】
2020153231.tif 000005
【図４】
2020153231.tif 000006
【図５】
2020153231.tif 000007
【図６】
2020153231.tif 000008
【図７】
2020153231.tif 000009
【図８】
2020153231.tif 000010
【図９】
2020153231.tif 000011
【図１０】
2020153231.tif 000012